(57)【要約】  【課題】  鏡面本来の機能を損うことなく、情報伝達手段として適用でき、構造が簡単で、従って、安価に提供できる鏡装置を得る。  【解決手段】  半透明鏡板５と光によってメッセージを表示する表示装置９で構成する。そして、前記半透明鏡板５を、背面に不透明シート６を接着して不透光部と透光部８に区画し、前記表示装置９の透光板９ｂを前記透光部８の背面を被装する広さのものとし、該透光板９ｂを、透光部の前記背面全域を被装したシリコン樹脂系接着剤１０で前記半透明鏡板５に接着する。【選択図】    図１
2010240012.tif 000002
【特許請求の範囲】
【請求項１】
半透明鏡板と光によってメッセージを表示する表示装置とから成り、前記半透明鏡板を、背面に非透光材を積層して不透光部と透光部に区画し、前記表示装置の、前記メッセージを通し、しかも、前面を構成する透光板を、前記透光部の背面を被装する広さのものとすると共に、前記表示装置を、前記透光板において、透光部の前記背面全域を被装した透明シリコン樹脂系粘着剤で、前記半透明鏡板に接着した、鏡装置。
【発明の詳細な説明】
【技術分野】
【０００１】
本発明は、概して、不特定多数人が来集する飲食店、デパート或いはイベント会場等での洗面所等に用いるに好適な鏡装置に関するものである。
【背景技術】
【０００２】
人の来集する場所の洗面所には鏡を設置してあるのが一般であるが、該鏡は、具体例を挙げるまでもなく、自己の顔・姿等を写して見る道具として用いられている。そして、人の来集する場所の洗面所などに設置しておくと、大多数の人が自分の顔を写して見る、すなわち、鏡面を習慣的に視覚しており、習慣的に視線のいく、このような鏡を何等かの情報伝達手段として利用すると有効であり、この有効性を活用したものとして、鏡面をハーフミラーで構成し、ハーフミラーの裏側に設けた、ケースで取り囲んだ暗室内にディスプレイ装置を装置し、インターネット等からの情報を制御装置で制御してディスプレイ装置の画面に情報を表示し、鏡面を構成するハーフミラーを通して該情報を視覚・認識させるようにした表示装置が提案されている（例えば、特許文献１）。
【先行技術文献】
【特許文献】
【０００３】
【特許文献１】特開２００６−５３２７７号公報
【発明の概要】
【発明が解決しようとする課題】
【０００４】
前記従来例は、人感センサーで人の存在を検出して制御装置が作動し、該制御装置により一定時間ディスプレイ装置で画面表示して情報伝達を行うものであるが、人が鏡面を見るのは、第一義的には自己の顔・姿を写すことであるにもかかわらず、前記の従来例は、人の存在を検出して暗室内のディスプレイ装置が作動して、情報が鏡面上に現われると共に裏側の明るさにより鏡としての写す機能が規制され、該機能を利用するには、前記情報の画像表示操作が終了し、鏡面を構成するハーフミラーが所謂ブラックアウトになり、鏡面本来の機能を発揮する状態まで待たなければならない。
【０００５】
従って、鏡面本来の機能を活用するためにイベント場等の洗面所に設置する鏡装置としては必ずしも適切ではない。
【０００６】
本発明は、斯様な従来例の欠点に着目し、鏡面本来の機能を損うことなく、しかも、情報伝達手段として適用でき、構造が簡単で、従って、安価に提供できる鏡装置を提供すべく創案したものである。
【課題を解決するための手段】
【０００７】
半透明鏡板と光によってメッセージを表示する表示装置とから成り、前記半透明鏡板を、背面に非透光材を積層して不透光部と透光部に区画し、前記表示装置の、前記メッセージを通し、しかも、前面を構成する透光板を、前記透光部の背面を被装する広さのものとすると共に、前記表示装置を、前記透光板において、透光部の前記背面全域を被装した透明シリコン樹脂系粘着剤で、前記半透明鏡板に接着するのである。
【発明の効果】
【０００８】
本発明によれば、透光部におけるメッセージの有無に係らず鏡面部を通常の鏡面部として利用でき、また透光部に必要に応じてメッセージを表示できる鏡としても利用できるから、伝言板を兼ねる鏡として利用でき、人の来集するところに設置するには好適な鏡装置を提供することができる。
【０００９】
また、半透明鏡板に表示装置を透光板において、粘着性の有る接着剤である透明シリコン樹脂系粘着剤で接着しただけで得るものであるから、構造が簡単で、従って、安価な伝言板兼用鏡を提供することができ、表示装置と鏡板の間はシリコンで充填されているから熱伝導が生じることなく、鏡板に結露の生じることなく、支障なくメッセージ表示を行え、シリコンの硬化による接着剤としての劣化がなく、接着状態を保持して耐振性を備え、実用的な鏡装置を提供できる。
【図面の簡単な説明】
【００１０】
【図１】側面図。
【図２】装置本体の正面図。
【図３】半透明鏡板と表示装置の関係を指す一部断面分解図。
【実施例】
【００１１】
図面は本発明に係る鏡装置の一実施例を示し、図中、Ａは本発明に係る鏡装置で、鏡装置Ａは、本体１を受支台２に組付け自在に支持させて構成し、カウンターや棚板等適宜の物の上に載置して用いるようにしたものである。
【００１２】
装置本体１は、背面に塩化ビニール樹脂系フィルムより成る不透明シート６を接着して一部を不透光部と成し、該不透光部で構成する鏡面部７と、鏡面部７の一部として残した下端部の上側に配した透光部８とで成る半透明鏡板（ハーフミラー）５の前記透光部８の背面に、光によってメッセージを表示する表示装置９を止着し、表示装置９に備えた半導体メモリを要素とする記録媒体から読み出されて表示部９ａに表示されるメッセージを、表示部９ａの前面に配した前透光板（前ガラス）９ｂを介して前記透光部８を通して透視できるようにしてある。
【００１３】
不透明シート６は、要は非透光性素材で成るものであれば良く（従って、合成樹脂は勿論、木材や金属製でも不都合はない）、積層手段は接着に限らず、半透明鏡板５に重ね合わせた状態（積層状態）を維持できる状態であればいずれの手段も本発明を実施する上に、不都合はない。従って、塗料を塗布、吹付けによって半透明鏡板５に層設しても良い。
【００１４】
光によってメッセージ（文章に限らず、図形、記号も含む）を表示する表示装置９は、前記半導体メモリ等種々の電子素子を配線したプリント基板９ｃの前面側に、前記前透光板９ｂと後透光板９ｄとの間に前記表示部９ａを介在させて構成した、いわゆる蛍光表示管を配して構成してあるが、要は、電気的な光によってメッセージを表示する装置のものであれば良く、当該メッセージは静的なものであろうと、動的なものであろうと問わないが、実施例のものはスクロール機能を備え、メッセージの伝達を効果的に伝えるようにしてある。
【００１５】
そして、表示装置９は、前記不透明シート６で取り囲んだ前記透光部８の背面（シート６で取り囲んで構成することにより、シート６の板厚分凹んでいる）の全域を被装した透明シリコン系粘着剤１０を介して、透光部８の背面全域を被装する広さの前記前透光板９ｂにおいて、前記半透明鏡板５に止着して前記装置本体１を構成し、半透明鏡板５の前記透光部８は、この表示装置９の存在によって常態時は鏡面部７と同様な機能（事物を写す反射機能）を果たし、表示装置９が作動することによる光の点滅（メッセージ表示）によって該機能は中断される。
【００１６】
前記受支台２は、基台１２の上面の適所に断面コの字状の支持枠１３を固着して構成し、支持枠１３で構成する受支溝１３ａに、装置本体１の半透明鏡板５の下端部を係脱自在に係合し、受支溝１３ａの、前記支持枠１３の後壁１３ｂに、半透明鏡板５の背面を当接、もたせかけて、装置本体１と組合わせ、鏡装置Ａを構成する。
【００１７】
そして、表示装置９に備えた記憶装置に所望の事項を記憶させてこれを作動させると、該事項はメッセージとなって表示部９ａに表示され、これを半透明鏡板５の透光部８を通じて視認することができるのである。
【００１８】
なお、実施例のものは、手動スイッチの操作により表示部９ａにメッセージが表示されるようになっているが、図示省略した人感知装置によって人の存在を検出し、その検出信号によって表示装置９を動作させ、表示部９ａにメッセージを表示させるようにすると、そのメッセージは、本鏡装置を金融機関に設置してあれば、振り込め詐欺に対する注意事項になるであろうし、イベント会場であれば、催事事項になるであろうし、食堂であれば、料理説明になる等、設置個所に応じた内容に区別して用いることができ、この場合は、前記の人感知装置は、半透明鏡板５の鏡面部７に写ると同時に表示装置９が作動するように半透明鏡板５の周辺に配置すべきである。またトイレ等の水洗の感知器（センサー）と連動して洗面台にメッセージを表示することも可能である。
【符号の説明】
【００１９】
５      半透明鏡板
６      不透明シート
８      透光部
９      表示装置
９ｂ    透光板
１０    透明シリコン樹脂系粘着剤
【図１】
2010240012.tif 000003
【図２】
2010240012.tif 000004
【図３】
2010240012.tif 000005